(57)【要約】【課題】スライド蓋（レンズカバー）を移動させて、撮影モード、非撮影モード等のモード切替えを行う撮像装置を提供する。【解決手段】撮像装置１は、撮像レンズ２およびストロボ発光部３を第１の主面６ａに有し、被写体表示部５を前記第１の主面６ａと対向する第２の主面６ｂに有する筐体６と、前記第１の主面６ａにスライド可能に取付けられていて前記撮像レンズ２やストロボ発光部３を覆うスライド蓋７と、を備えている。前記スライド蓋７は、前記撮像レンズを露出させる撮影モード位置と、前記撮像レンズ２およびストロボ発光部３を覆う非撮影モード位置と、前記撮像レンズおよびストロボ発光部を覆ったまま前記被写体表示部による再生を行う再生モード位置と、の間で移動可能になっている。【選択図】  図３
2007088666.tif 000002
【特許請求の範囲】
【請求項１】
撮像レンズおよびストロボ発光部を第１の主面に有し、被写体表示部を前記第１の主面と対向する第２の主面に有する筐体と、前記第１の主面にスライド可能に取付けられていて前記撮像レンズやストロボ発光部を覆うスライド蓋と、を備え、
前記スライド蓋は、前記撮像レンズおよびストロボ発光部を覆う非撮影モード位置と、前記撮像レンズおよびストロボ発光部を覆ったまま前記被写体表示部による再生を行う再生モード位置と、前記撮像レンズを露出させる撮影モード位置と、の間で移動可能になっていることを特徴とする撮像装置。
【請求項２】
前記撮影モード位置は、前記撮像レンズを露出させて前記ストロボ発光部を覆うストロボ自動発光撮影禁止モード位置と、前記撮像レンズおよびストロボ発光部の両方を露出させるストロボ自動発光撮影モード位置と、で構成されていることを特徴とする請求項１に記載の撮像装置。
【請求項３】
前記スライド蓋が前記非撮影モード位置、再生モード位置、ストロボ自動発光撮影禁止モード位置、ストロボ自動発光撮影モード位置の何れに位置するかを前記第２の主面側から識別するスライド蓋位置表示手段を備えていることを特徴とする請求項１に記載の撮像装置。
【請求項４】
前記スライド蓋位置表示手段は、前記スライド蓋に設けられていて、前記筐体の上面、下面、第１の側面、第２の側面の少なくともいずれか一つの面よりも外側に突出する突起と、前記筐体に付されていて前記スライド蓋が前記非撮影モード位置、再生モード位置、ストロボ自動発光撮影禁止モード位置、ストロボ自動発光撮影モード位置の何れに位置するかを前記突起を介して表示する第１〜第４の位置表示マークと、で構成されていることを特徴とする請求項３に記載の撮像装置。
【請求項５】
前記スライド蓋位置表示手段は、前記スライド蓋の一側部に設けられていて前記筐体の第１の側面に沿って前記第２の主面側に伸びるアーム部と、前記筐体の第２の主面に付されていて前記スライド蓋が前記非撮影モード位置、再生モード位置、ストロボ自動発光撮影禁止モード位置、ストロボ自動発光撮影モード位置の何れに位置するかを表示する第１〜第４の位置表示マークと、で構成されていることを特徴とする請求項３に記載の撮像装置。
【発明の詳細な説明】
【技術分野】
【０００１】
本発明は撮像レンズをスライド蓋（レンズカバー）で覆うことができるようにしたデジタルカメラやデジタルスチルカメラ等の撮像装置に関するものである。
【背景技術】
【０００２】
図１５、図１６に示すように、扁平な筐体（カメラ本体部）１０１の第１の主面１０２側に撮像レンズ１０３やストロボ発光部１０４、ＡＦ（オートフォーカス）補助光発光部１０５等を備え、これら撮像レンズ１０３やストロボ発光部１０４、ＡＦ（オートフォーカス）補助光発光部１０５をスライド蓋（レンズカバー）１０６で覆うことを可能にすると共に、図１７に示すように前記第１の主面１０２の背面側の第２の主面１０７に液晶等の被写体表示部１０８を設け、該被写体表示部１０８に被写体を表示するようにした撮像装置が知られている。前記スライド蓋（レンズカバー）１０６は、前記撮像レンズ１０３やストロボ発光部１０４、ＡＦ（オートフォーカス）補助光発光部１０５を同時に覆い、また同時に露出させる。（例えば特許文献１）。また、レンズカバーの移動によって撮影モードの切替えを行うようにした撮像装置も多々知られている。（例えば特許文献２、特許文献３）
【特許文献１】特開２００５−１１５１０９号公報
【特許文献２】特開２００４−１８０１３７号公報
【特許文献３】特開平７−２１２６４０号公報
【発明の開示】
【発明が解決しようとする課題】
【０００３】
ところで、上記従来の撮像装置には、次に述べるような問題点があった。
（１）撮影モードから既に撮影した被写体を被写体表示部１０８に表示する再生モードに切替えをスライド蓋（レンズカバー）の移動によって行うことができず、再生モードに切替えためには、特別のモード切替手段によって、モードの切替を行わなければならない。
（２）スライド蓋１０６で、撮像レンズ１０３のみを露出させ、ストロボ発光部１０４やＡＦ（オートフォーカス）補助光発光部１０５を覆った状態にすることができない。このため、ストロボ発光部１０４を発光させないで撮影する場合にも、スライド蓋のスライドとは関係のない特別のモード切替手段によって、モードの切替を行わなければならない。
【０００４】
本発明の目的は、スライド蓋（レンズカバー）をスライドさせることによって、撮影モードから表示モードに切替える撮像装置を提供することにある。
【０００５】
また、本発明の他の目的は、スライド蓋で、撮像レンズのみを露出させ、ストロボ発光部やＡＦ（オートフォーカス）補助光発光部を覆った状態にする撮像装置を提供することにある。
【０００６】
また、本発明の他の目的は、スライド蓋の位置を背面側の被写体表示部側から容易に識別することのできる撮像装置を提供することにある。
【課題を解決するための手段】
【０００７】
本発明は、撮像レンズおよびストロボ発光部を第１の主面に有し、被写体表示部を前記第１の主面と対向する第２の主面に有する筐体と、前記第１の主面にスライド可能に取付けられていて前記撮像レンズやストロボ発光部を覆うスライド蓋と、を備えた撮像装置において、前記スライド蓋を、前記撮像レンズおよびストロボ発光部を覆う非撮影モード位置と、前記撮像レンズおよびストロボ発光部を覆ったまま前記被写体表示部による再生を行う再生モード位置と、前記撮像レンズを露出させた撮影モード位置と、の間で移動可能にした。
【０００８】
前記撮影モード位置を、前記撮像レンズを露出させて前記ストロボ発光部を覆うストロボ自動発光撮影禁止モード位置と、前記撮像レンズおよびストロボ発光部の両方を露出させるストロボ自動発光撮影モード位置と、で構成した。
【０００９】
前記スライド蓋が前記非撮影モード位置、再生モード位置、ストロボ自動発光撮影禁止モード位置、ストロボ自動発光撮影モード位置の何れに位置するかを前記第２の主面側から識別するスライド蓋位置識別手段を設けた。
【００１０】
前記スライド蓋位置識別手段を、前記筐体の上面、下面、第１の側面、第２の側面の少なくともいずれか一つの面よりも外側に突出する突起と、前記筐体に表示されていて前記突起を介して前記スライド蓋の位置を示す複数の位置表示マークと、で構成した。
【００１１】
前記スライド蓋位置識別手段を、前記スライド蓋の一側部に設けられていて前記筐体の第１の側面に沿って前記第２の主面側に伸びるアーム部と、前記筐体に表示されていて前記アーム部を介して前記スライド蓋の位置を示す複数の位置表示マークと、で構成した。
【発明の効果】
【００１２】
本発明の撮像装置は、スライド蓋を再生モード位置に移動させることにより再生モードへの切替えを行うことができる。また、スライド蓋を撮影モード位置内のストロボ自動発光撮影禁止モード位置に移動させると、前記撮像レンズは露出するが、前記ストロボ発光部は、スライド蓋で覆われて、ストロボ発光させない状態で撮影を行うことができる。また、スライド蓋をストロボ自動発光撮影モード位置に移動させると、前記撮像レンズおよびストロボ発光部の両方を露出させてストロボ自動発光撮影が可能になる。
【００１３】
前記スライド蓋を各モード位置に移動させると、該スライド蓋の各位置への移動は、スライド蓋位置識別手段によって、第２の主面側に表示されるので、前記スライド蓋が取付けられている第１の主面側を見なくても前記スライド蓋がどのモード位置に在るかを容易に認識することができ、撮像装置の操作性が向上する。
【発明を実施するための最良の形態】
【００１４】
図１は第１の実施例の撮像装置１を正面側（第１の主面側）から見た斜視図、図２は撮像装置１を背面側（第２の主面側）から見た斜視図である。前記撮像装置１は薄型のデジタルスチルカメラとして構成されている。前記撮像装置１は、撮像レンズ２、ストロボ発光部３、ストロボ発光部やＡＦ（オートフォーカス）補助光発光部４を第１の主面６ａに有し、被写体表示部５を前記第１の主面６ａと対向する第２の主面６ｂに有する筐体（カメラ本体部）６と、前記第１の主面６ａにスライド可能に取付けられていて、前記撮像レンズ２やストロボ発光部３、ＡＦ（オートフォーカス）補助光発光部４を覆うスライド蓋７と、を備えている。前記第２の主面６ｂにはズームボタン８とファンクションボタン９が設けられている。また、前記筐体６の上面６ｃにはシャッタボタン１０が設けられている。
【００１５】
図１に示すように、前記撮像レンズ２は、前記第１の主面６ａの第１の側面６ｄと上面６ｃの成す角部に設けられている。前記ストロボ発光部３やＡＦ（オートフォーカス）補助光発光部４は、前記撮像レンズ２よりも第２の側面６ｅ側に、該撮像レンズ２に隣接した状態で上下に配置されている。
【００１６】
前記スライド蓋７は、前記筐体６の第１の主面６ａに図１の水平方向（矢印ａ−ｂ方向）にスライド可能に取付けられている。前記スライド蓋７は、前記第２の側面６ｅ側に最も移動させた状態においては、図３に示すように、前記撮像レンズ２およびストロボ発光部３やＡＦ（オートフォーカス）補助光発光部４を露出させたストロボ自動発光撮影モード位置にあり、前記スライド蓋７を前記第１の側面６ｄ側にスライドさせて破線で示す位置Ａまで移動させると、図４に示すように、前記スライド蓋７は、前記ストロボ発光部３やＡＦ（オートフォーカス）補助光発光部４を覆い隠し、前記撮像レンズ２を露出させるストロボ自動発光撮影禁止モード位置に移動し、前記スライド蓋７を更にスライドさせて図３の１点鎖線で示す位置Ｂまで移動させると、図５に示すように、前記スライド蓋７は、前記撮像レンズ２、ストロボ発光部３、ストロボ発光部やＡＦ（オートフォーカス）補助光発光部４を覆い隠す非撮影モード位置に移動して電源をオフ状態にする。前記スライド蓋７を更にスライドさせて図３の２点鎖線で示す位置Ｃまで移動させると、図６に示すように、前記スライド蓋７は、前記撮像レンズ２やストロボ発光部３、ＡＦ（オートフォーカス）補助光発光部４を覆い隠した侭の状態で前記被写体表示部５による再生を行う再生モード位置に移動する。
【００１７】
図１に示すように、前記スライド蓋７は、指掛け用の突起１１を備えている。そして、図７に示すように、前記突起１１に指を掛けることによって、容易にスライドさせることができるようになっている。
【００１８】
図８に示すように、前記スライド蓋７は、上面板２１と下面板２２とからなり、これら上面板２１と下面板２２を重ね合わせて結合することにより形成されていて、前記上面板２１に前記指掛け用の突起１１が設けられている。
【００１９】
前記下面板２２は、上下部に一対のスライドガイド用の長孔２３，２４を備えていると共に、これら一対の長孔２３，２４の間に第１〜第４の位置決め孔３１〜３４を備えている。
【００２０】
前記スライド蓋７は、ガイド部材４１によって前記筐体６にスライド可能に取付けられている。前記ガイド部材４１は、一対のガイド突起４２，４３を有し、これら一対のガイド突起４２，４３が前記筐体６に設けた切欠孔４４，４５を介して第１の主面６ａから突出されると共に、前記一対のガイド突起４２，４３は、前記下面板２２に設けた一対のスライドガイド用の長孔２３，２４に挿入される。
【００２１】
前記一対のガイド突起４２，４３の先端には、前記下面板２２を挟んだ状態で板抑え４６が取付けられる。前記板抑え４６は、弾性を有する舌片４７を備えているると共に、該舌片４７には、前記第１〜第４の位置決め孔３１〜３４に嵌合する突起４８が設けられている。
【００２２】
前記突起４８は、前記スライド蓋７がストロボ自動発光撮影モード位置に在る時には前記第１の位置決め孔３１に係合し、前記スライド蓋７がストロボ自動発光撮影禁止モード位置ある時には前記第２の位置決め孔３２に係合し、前記スライド蓋７が非撮影モード位置ある時には前記第３の位置決め孔３３に係合し、前記スライド蓋７が再生モード位置ある時には前記第４の位置決め孔３４に係合するようになっている。
【００２３】
また、図１、図２に示すように、撮像装置１は、前記スライド蓋７が前記再生モード位置、非撮影モード位置、ストロボ自動発光撮影禁止モード位置、ストロボ自動発光撮影モード位置の何れに位置するかを前記第２の主面６ｂ側から識別するためのスライド蓋位置識別手段５１を備えている。
【００２４】
前記スライド蓋位置表示手段５１は、前記スライド蓋７に設けられていて、前記筐体６の上面６ｃよりも外側に突出する突起５２と、前記筐体８の上面６ｃ及び第２の主面６ｂに設けられていて、前記スライド蓋７が前記非撮影モード位置、再生モード位置、ストロボ自動発光撮影禁止モード位置、ストロボ自動発光撮影モード位置の何れに位置するかを表示する第１〜第４の位置表示マーク５３〜５６と、で構成されている。
【００２５】
第１の実施の形態の撮像装置１は、上述のような構成であって、図１に示すように、前記スライド蓋７がストロボ自動発光撮影モード位置に在る時には前記舌片４７の突起４８が前記第１の位置決め孔３１に係合し、前記スライド蓋７は、位置決めされて、ストロボ自動発光撮影モードに維持される。前記スライド蓋７がストロボ自動発光撮影モード位置に在ることは、図２に示すように前記スライド蓋５に設けた突起５２と、前記筐体６に表示した第１の位置表示マーク５３と、の位置が合致するによって、前記筐体６の第２の主面６ｂ側から容易に識別することができる。
【００２６】
図４に示すように、前記スライド蓋７をストロボ自動発光撮影禁止モード位置にスライドさせると、前記舌片４７の突起４８が前記第２の位置決め孔３２に係合し、前記スライド蓋７は、位置決めされてストロボ自動発光撮影禁止モードに維持される。そして、前記スライド蓋７がストロボ自動発光撮影モード位置に在ることは、前記スライド蓋７に設けた突起５２と前記筐体６に表示した第２の位置表示マーク５４の位置が合致することによって、前記筐体６の第２の主面６ｂ側から容易に識別することができる。
【００２７】
図５に示すように、前記スライド蓋７を非撮影モード位置にスライドさせると、前記舌片４７の突起４８前記第３の位置決め孔３３に係合して前記スライド蓋７は、位置決めされた状態になると共に、非撮影位置モードに維持されて、電源がオフ状態になる。前記スライド蓋７が非撮影モード位置に在ることは前記スライド蓋７に設けた突起５２と前記筐体６に表示した第３の位置表示マーク５５の位置が合致することによって前記筐体６の第２の主面６ｂ側から容易に識別することができる。
【００２８】
図６に示すように、前記スライド蓋７を再生モード位置にスライドさせると、前記舌片４７の突起４８は、前記第４の位置決め孔３４に係合して、前記スライド蓋７は、再生モード位置に位置決めされた状態になる。前記スライド蓋７が再生位置モード位置に在ることは前記スライド蓋７に設けた突起５２と前記筐体６に表示した第４の位置表示マーク５６の位置が合致することによって前記筐体６の第２の主面６ｂ側から容易に識別することができる。
【００２９】
図９は第２の実施例の撮像装置１を正面側（第１の主面側）から見た斜視図、図１０は撮像装置１を背面側（第２の主面側）から見た斜視図である。この第２の実施例と前記第１の実施例の撮像装置の主たる相違点は、前記第１の実施例の撮像装置１がスライド蓋７を横方向（矢印ａ−ｂ方向）にスライドさせるものであるのに対して、第２の実施例の撮像装置１はスライド蓋７を縦方向（矢印ｃ−ｄ方向）にスライドさせることにある。
【００３０】
図９に示すように、前記スライド蓋７は、前記筐体６の下面６ｆ側に最も移動させた状態においては、前記撮像レンズ２およびストロボ発光部３やＡＦ（オートフォーカス）補助光発光部４を露出させた撮影モード位置にあり、前記スライド蓋７を前記上面６ｃ側（矢印ｃ方向）にスライドさせると、前記スライド蓋７は、前記撮像レンズ２やストロボ発光部３、ＡＦ（オートフォーカス）補助光発光部４を覆い隠した撮影モード禁止位置に移動し、前記スライド蓋７を更にスライドさせると、前記スライド蓋５は、前記撮像レンズ２やストロボ発光部３、ＡＦ（オートフォーカス）補助光発光部４を覆い隠した侭の状態で前記被写体表示部５による再生を行う再生モード位置に移動する。
【００３１】
前記スライド蓋７が撮影モード位置、撮影禁止モード位置、再生モード位置の何れかに在るかを前記筐体６の第１の主面６ａ側で識別するためのスライド蓋位置表示手段６１は、前記スライド蓋７に設けられていて前記筐体６の第２の側面６ｅよりも外側に突出する突起６２と、前記スライド蓋７が前記撮影モード位置、撮影禁止モード位置、再生モード位置の何れに位置するかを表示する前記筐体６の第２の主面６ｂに付された第１〜第３の位置表示マーク６３〜６５と、で構成されている。
【００３２】
そして、前記スライド蓋７が前記撮影モード位置に在るときには前記突起６２が前記第１の位置表示マーク６３部分に位置し、前記スライド蓋７が前記撮影禁止モード位置に在るときには前記突起６２が前記第２の位置表示マーク６４部分に位置し、前記スライド蓋７が前記再生モード位置に在るときには前記突起６２が前記第３の位置表示マーク６５部分に位置するようになっている。その他の構成は、第１実施例の場合と同じであるので重複する説明は省略する。
【００３３】
図１１は第３の実施例の撮像装置１を正面側から見た斜視図、図１２は撮像装置１を背面側から見た斜視図である。この第３の実施例と前記第２の実施例の撮像装置の主たる相違点は、前記スライド蓋位置表示手段６１を、前記筐体６の第１の側面に沿って前記第２の主面７側に伸びるアーム部７１と、前記スライド蓋７が前記撮影モード位置、撮影禁止モード位置、再生モード位置の何れに位置するかを表示する前記筐体６の第２の主面６ｂに表示された第１〜第３の位置表示マーク７２〜７４と、で構成したことにある。前記アーム部７１を前記筐体６の第２の主面６ｂ側に付した第１〜第３の位置表示マーク７２〜７４の近傍まで伸ばすことにより、スライド蓋７の位置をより正確に示すことができるようにしている。他の構成は、第２の実施例の場合と同様であるので重複する説明は省略する。
【００３４】
図１３は第４の実施例の撮像装置１を正面側から見た斜視図、図１４は撮像装置１を背面側から見た斜視図である。この第４の実施例と前記第２の実施例の撮像装置の主たる相違点は、前記スライド蓋位置表示手段６１を、前記スライド蓋７の一側部に設けた突部８１と、前記筐体６の第２の側面６ｅに設けられていて前記スライド蓋７の一側部に設けられた前記突部８１を前記筐体６の第２の主面６ｂ側に表出させる第１〜第３の凹溝８２〜８４と、前記第１〜第３の凹溝８２〜８４に対応して前記第２の主面６ｂに表示された第１〜第３の位置表示マーク８５〜８７と、で構成されている。そして、前記スライド蓋７が前記撮影モード位置に在るときには、前記突部８１が前記第１の凹溝８２および第１の位置表示マーク８５部分に位置し、前記スライド蓋７が前記撮影禁止モード位置に在るときには前記突部８１が前記第２の凹溝８３および第２の位置表示マーク８６部分に位置し、前記スライド蓋７が前記再生モード位置に在るときには、前記突部８１が前記第３の凹溝８４および第３の位置表示マーク８７部分に位置するようになっている。その他の構成は、第２の実施例の場合と同じであるので重複する説明は省略する。
【図面の簡単な説明】
【００３５】
【図１】第１の実施例の撮像装置を第１の主面側から見た斜視図。
【図２】第１の実施例の撮像装置を第２の主面側から見た斜視図。
【図３】第１の実施例の撮像装置を第２の主面側から見た正面図。
【図４】スライド蓋がストロボ自動発光撮影禁止モード位置に在る状態の斜視図。
【図５】スライド蓋が非撮影モード位置に在る状態の斜視図。
【図６】スライド蓋が再生モード位置に在る状態の斜視図。
【図７】使用状態の平面図。
【図８】要部の分解斜視図。
【図９】第２の実施例の撮像装置を第１の主面側から見た斜視図。
【図１０】第２の実施例の撮像装置を第２の主面側から見た斜視図。
【図１１】第３の実施例の撮像装置を第１の主面側から見た斜視図。
【図１２】第３の実施例の撮像装置を第２の主面側から見た斜視図。
【図１３】第４の実施例の撮像装置を第１の主面側から見た斜視図。
【図１４】第４の実施例の撮像装置を第２の主面側から見た斜視図。
【図１５】従来例の撮像装置を第１の主面側から見た斜視図（蓋を開いた状態）。
【図１６】従来例の撮像装置を第１の主面側から見た斜視図（蓋を閉じた状態）。
【図１７】従来例の撮像装置を第２の主面側から見た斜視図。
【符号の説明】
【００３６】
１…撮像装置、２…撮像レンズ、３…ストロボ発光部、４…ＡＦ（オートフォーカス）補助光発光部、５…被写体表示部、６…筐体（カメラ本体部）、６ａ…第１の主面、６ｂ…第２の主面、６ｃ…上面、６ｄ…第１の側面、６ｅ…第２の側面、６ｆ…下面、７…スライド蓋、５１…スライド蓋位置表示手段、５２，６２…突起、５３〜５６…第１〜第４の位置表示マーク、６１…スライド蓋位置表示手段、６２…突起、６３〜６５…第１〜第３の位置表示マーク、７１…スライド蓋位置表示手段、７２…アーム部、７２〜７４…第１〜第３の位置表示マーク。
【図１】
2007088666.tif 000003
【図２】
2007088666.tif 000004
【図３】
2007088666.tif 000005
【図４】
2007088666.tif 000006
【図５】
2007088666.tif 000007
【図６】
2007088666.tif 000008
【図７】
2007088666.tif 000009
【図８】
2007088666.tif 000010
【図９】
2007088666.tif 000011
【図１０】
2007088666.tif 000012
【図１１】
2007088666.tif 000013
【図１２】
2007088666.tif 000014
【図１３】
2007088666.tif 000015
【図１４】
2007088666.tif 000016
【図１５】
2007088666.tif 000017
【図１６】
2007088666.tif 000018
【図１７】
2007088666.tif 000019